(57)【特許請求の範囲】
【請求項１】
軸体と、
軸体上に略同心状に装着されて、一方側と軸体とが嵌合し、他方側と軸体との間に環状の遊び空間を有し、戸当たり時に前記嵌合部分を略支点にして傾動変形し得る、弾性円筒体とを備え、
前記軸体の一方側端部から他方側端部までの長さが、前記弾性円筒体以上となるように形成されることを特徴とする戸当たり装置。
【請求項２】
開き戸の下端縁部が前記環状の遊び空間のある高さ部分に当接するように形成されることを特徴とする請求項１に記載の戸当たり装置。
【請求項３】
前記軸体は円柱状に形成され、その側端部においてフランジ部を備えており、当該フランジ部は、前記弾性円筒体が傾動した際において前記環状の遊び空間が露出しないように形成され且つ開き戸と物理的に緩衝しないように形成されることを特徴とする請求項１又は請求項２に記載の戸当たり装置。
【請求項４】
前記弾性円筒体の外面の下端側に脆弱部が形成されることを特徴とする請求項１乃至請求項３の何れか１つに記載の戸当たり装置。
【請求項５】
請求項１〜４のいずれか１項に記載の戸当たり装置において、
円筒体は、軸体と嵌合する小径穴部と、遊び空間を画定する大径穴部と、を含み、
対応する軸体部の各々は、実質上同一径を有することを特徴とする戸当たり装置。
【請求項６】
請求項１〜５のいずれか１項に記載の戸当たり装置において、
軸体は、円筒体と嵌合する大径軸部と、遊び空間を画定する小径軸部と、を含み、
対応する円筒体穴部の各々は、実質上同一径を有することを特徴とする戸当たり装置。
【発明の詳細な説明】
【技術分野】
【０００１】
本発明は、開き戸（折れ戸等を含む）を所定位置に停止させる戸当たり装置に関する。
【背景技術】
【０００２】
従来から、開き戸を定位置に停止させる戸当たり装置として、様々なものが提案されている。たとえば、特許文献１には、図８に示すような円錐面（斜面）を有する緩衝体８３から成る戸当たり装置８１が提案されている。これによれば、開き戸Ｄの下端縁部が常に緩衝体８３の斜面に当接（衝突）するので、開き戸Ｄの戸表面を傷つけないで済む。
【０００３】
しかしながら、特許文献１の戸当たり装置８１の場合、戸当たり時に開き戸Ｄを持ち上げる方向（上方向）の無理な力が発生し易く、実用上好ましくない。また、基本的に円錐状のものに限られるというデザイン上の制約がある。
【０００４】
これを解決するため、特許文献２には、図９に示すような内部に収容したコイルバネＣで支持される緩衝筒９３から成る戸当たり装置９１が提案されている。
特許文献２の戸当たり装置９１によれば、上述したような上方向の無理な力の発生を或る程度抑制できそうである。
【特許文献１】特許第２９５８３００号公報
【特許文献２】特許第４０２４２８１号公報
【発明の開示】
【発明が解決しようとする課題】
【０００５】
しかしながら、特許文献２の戸当たり装置９１の場合、緩衝筒９３に加えてコイルバネＣも使用するので、製造コストおよび組立コストの上昇を招き易い。また、戸当たり状態からの解放時等に、無用な揺れ動きが続き易く、これを避けるためにコイルバネＣを強くすると今度は開き戸に衝撃ないし損傷を与えることになるといった相反する問題がある。
【０００６】
そこで、本発明は、上記従来の不都合を伴うことなく、従来と同等もしくはそれ以上の戸当たり性能（停止性能）を保有しながら、部品点数を少なく構成できる安価かつ簡易な戸当たり装置を提供することをその課題とする。
【課題を解決するための手段】
【０００７】
上記課題を解決するために、本発明の戸当たり装置の第１態様は、軸体と、軸体上に略同心状に装着されて、一方側と軸体とが嵌合し、他方側と軸体とが環状の遊び空間を画定して戸当たり時に前記嵌合部分を略支点にして傾動変形し得る、弾性円筒体と、を含むことを特徴とする。
【０００８】
本発明の第２態様は、第１態様において、床、天井、側壁等の支持部に軸体を固定するための固定構造をさらに含み、前記固定構造は、軸体に備えられるアンカー部材と、アンカー部材に打ち込むことによりアンカー部材の拡張部を広げるアンカー心棒と、を含むことを特徴とする。
本発明の第３態様は、第２態様において、アンカー部材は、軸体とは別体で形成されることを特徴とする。
本発明の第４態様は、第２態様において、アンカー部材は、軸体と一体形成されることを特徴とする。
本発明の第５態様は、第２〜４態様のいずれか１つにおいて、固定構造は、軸体に備えられ、ネジ部品によって前記支持面に固定される取り付け部材を含むことを特徴とする。
本発明の第６態様は、第２〜５態様のいずれか１つにおいて、円筒体は、軸体と嵌合する小径穴部と、遊び空間を画定する大径穴部と、を含み、対応する軸体部の各々は、実質上同一径を有することを特徴とする。
本発明の第７態様は、第２〜５態様のいずれか１つにおいて、軸体は、円筒体と嵌合する大径軸部と、遊び空間を画定する小径軸部と、を含み、対応する円筒体穴部の各々は、実質上同一径を有することを特徴とする。
【発明の効果】
【０００９】
本発明によれば、戸当たり時に無理な力を及ぼすことのない停止性能（戸当たり性能）を得ることができる。また、安価かつ簡易に装置を構成することができる。
本発明の上記および他の目的、特徴、および利点（効果）については、本発明の実施形態の説明および図面から当業者にとって明らかになろう。
【発明を実施するための最良の形態】
【００１０】
以下、図面を参照して、本発明の複数の実施形態を説明するが、本発明自体はそれらの実施形態に何ら限定されないことは言うまでもない。
【００１１】
図１〜３を参照すると、本発明の第１実施形態の戸当たり装置１は、開き戸Ｄの下端縁部に当接して、開き戸Ｄの衝撃を緩和させつつ、開き戸Ｄを所定位置に停止させると共に、当接時に開き戸Ｄに作用し易い上方向（持ち上げ方向）の力を低減させる。
【００１２】
具体的には、本第１実施形態の戸当たり装置１は、図３から理解され得るように、上端に大径のフランジ部３ａを備えた円柱状の軸体３と、軸体３の下端（先端）中央に挿入（および嵌合もしくは締結）される細長いアンカー部材５と、アンカー部材５の中央を貫通するようにセットされる釘状のアンカー心棒７と、軸体３が中央を貫通する大径の円筒体９と、を含んで略構成される。
【００１３】
アンカー部材５は、先端（下端）に３〜５本程度のすり割り溝が形成されて成る拡張部５ａを有し、床ＦＬ（例えば、コンクリート）に空けた下穴にアンカー部材５を挿入して、アンカー心棒７を打ち込むことにより、この拡張部５ａが広がって下穴壁面に食い込んで床ＦＬの床面に取りつく（図３Ａ）。
【００１４】
円筒体９は、弾性を有するように、たとえば、ゴム製材料から形成され、中央の長手中心線に沿って、下端側（先端側）の小径穴部９ａと、これに繋がった上端側の大径穴部９ｂと、を有する。図３Ｂに示すように、床面に取りつけたアンカー部材５にめがけて装着される。
【００１５】
軸体３は、図３Ｃに示すように、アンカー部材５および円筒体９にめがけて装着される。この際、軸体３は、円筒体９の小径穴部９ａに対しては、隙間嵌め、好ましくは、締まり嵌めで嵌合し、円筒体９の大径穴部９ｂに対しては、両者の間に所定の大きさの環状の隙間（遊び空間）が画定されるように同心状に配置される。軸体３とアンカー部材５とは、詳細を図示しないが、アンカー部材５の上端外面の雄ネジと軸体３の下端内部の雌ネジとの螺合によって、締結固定される。尤も、固定形式はこれに限られないことは言うまでもない。
【００１６】
軸体３の上側のフランジ部３ａは、好ましくは、円筒体９が最も傾動（後述）した際に円筒体９の大径穴部９ｂが露出しない程度に、しかしながら、その際に開き戸Ｄに物理的に干渉しない程度に、円筒体９の上面を覆う適切な外径を有する。
【００１７】
以上の構成を有する本第１実施形態にあっては、開き戸Ｄが開いて、図１のように軸体３が床面に固定された戸当たり装置１に対して当たった際（戸当たり時）には、円筒体９の小径穴部９ａと軸体３との嵌合部分を略支点にして円筒体９が弾性的に傾動変形しながら開き戸Ｄの動きを制動して、図３に示すように開き戸Ｄを所定位置に停止させることができる。
【００１８】
図示しないが、開き戸Ｄが閉じる際には、円筒体９は、自己の弾性によって、図１に示す元の状態に復帰することができる。
【００１９】
以上のように、本第１実施形態の戸当たり装置１によれば、開き戸Ｄの下端縁部に係合（当接）するので、開き戸Ｄに特に損傷を与えずに済み、そして、確実に開き戸を停止させることができる。また、開き戸Ｄに傾斜面がいきなり当接するような従来の構造と比較して、開き戸を持ち上げるような上向きの力の発生を相当抑制することができる。しかも、従来構造と比較して、構造が比較的簡単であり、部品点数を低減できるので、非常に実用的・経済的である。
なお、本実施形態（および下記実施形態）に係る装置の設置時（施工時）においては、開き戸Ｄの下端縁部の高さについて、開き戸Ｄの下端縁部が円筒体３の大径穴部の高さ部分に適切に当接するように確認・調節することが好ましい。
【００２０】
本第１実施形態においては、軸体３とアンカー部材５とが別個に形成され、その後に軸体３内にアンカー部材５が挿入（締結）されて固定されるが、この構成に代えて、図４に示すように、軸体とアンカー部材とを一体形成（たとえば、金属棒の削り出し加工や鋳造により）したような軸体３’（単一部品）を採用することができる。
【００２１】
次に、本発明の第２実施形態の戸当たり装置１１について、図５を参照して説明するが、分かり易いように、上記第１実施形態の構造と同一ないし共通する部品・部分については、同一の参照符号を付して、その説明を適宜省略し、主として異なる点について詳細に説明する。後述する他の実施形態の説明についても同様である。
【００２２】
本第２実施形態においては、上記第１実施形態と比較して、戸当たり装置を床面に固定する構造が異なる。すなわち、本第２実施形態の戸当たり装置１１は、軸体１３の下端が、たとえば矩形板状または円板状の取り付けフランジ１３ａを有し、このフランジ１３ａを床面に、たとえばネジＳで留めることにより固定される。軸体１３の上端には、円板状のナット１５が螺着され、円筒体９が傾動可能な状態に拘束される。
【００２３】
次に、本発明の第３実施形態の戸当たり装置２１について、図６を参照して簡潔に説明する。本第３実施形態においては、上記第１および第２実施形態と比較して、先ず戸当たり装置が床面ではなく鉛直な壁面に固定される点で異なる。すなわち、本実施形態の戸当たり装置２１は、Ｌ字状断面の取り付けブラケット２５の一片部を、たとえばネジＳで留めることにより壁面に固定される。取り付けブラケット２５の他片部（下面）には、円筒体９を傾動可能な状態に拘束する軸体２３が螺着される。
【００２４】
最後に、本発明の第４実施形態の戸当たり装置３１について、図７を参照して簡潔に説明する。本第４実施形態においては、上記第１実施形態の軸体と円筒体の内部関係を逆にしたような構造を有する。すなわち、円筒体３９は、段の無いストレートの穴部３９ａを有し、代わりに、軸体３３が、下端側（先端側）の大径軸部３３ａと、これに繋がった上端側の小径軸部３３ｂと、を有する。円筒体３９と（軸体３３の）小径軸部３３ｂとの間には、上記第１〜第３実施形態と同様に、環状の隙間（遊び空間）が画定される。
【００２５】
したがって、円筒体３９は、この環状の遊び空間が存在するので、前述したと同様に戸当たり時に前記嵌合部分を略支点にして傾動変形することができる。また、各実施形態において傾動を円滑にするために、円筒体の外面の下端側に脆弱部を設ける、たとえば、大きさや形状を考慮した段部や切欠きを設けることにより対応することができる。
【００２６】
本発明は、上述した幾つかの実施形態に限定されるものではなく、本発明の範囲内、すなわち、特許請求の範囲に記載された範囲内で、各種の改変・変形等を行うことが可能である。
【図面の簡単な説明】
【００２７】
【図１】本発明の第１実施形態の戸当たり装置の断面側面図である。
【図２】本発明の第１実施形態の戸当たり装置の作動状態を示す図である。
【図３】本発明の第１実施形態の戸当たり装置の設置の各段階を示す図であって、Ａは床面に取りつける前のアンカー部材、Ｂは装着前の円筒体、および、装着前の軸体をそれぞれ示す。
【図４】軸体とアンカー部材とを一体形成した部品の断面側面図である。
【図５】本発明の第２実施形態の戸当たり装置の断面側面図である。
【図６】本発明の第３実施形態の戸当たり装置の断面側面図である。
【図７】本発明の第４実施形態の戸当たり装置の断面側面図である。
【図８】従来の戸当たり装置の一例を示す側面図である。
【図９】従来の別の戸当たり装置を示す側面図である。
【符号の説明】
【００２８】
１、１１、２１、３１    戸当たり装置
３、１３、２３、３３    軸体
３ａ  フランジ部
５    アンカー部材
５ａ  拡張部
７    アンカー心棒
９、３９    円筒体
９ａ  小径穴部
９ｂ  大径穴部
【図１】
0005611689.tif 000002
【図２】
0005611689.tif 000003
【図３】
0005611689.tif 000004
【図４】
0005611689.tif 000005
【図５】
0005611689.tif 000006
【図６】
0005611689.tif 000007
【図７】
0005611689.tif 000008
【図８】
0005611689.tif 000009
【図９】
0005611689.tif 000010